(57)【要約】【課題】連続通紙のコピースタート時もしくは連続通紙前に蓄電器の利用形態を効率よく適切に制御して連続通紙の複写速度を大きくし、トータルの複写時間を短縮することのできる画像形成装置を提供する。【解決手段】商用電源１６で充電される蓄電器（キャパシタ１７）と、商用電源１６、蓄電器からの電力供給で加熱する加熱部（ヒータ９３，９４）と、加熱部により加熱される定着部材（定着ローラ）と、蓄電器の蓄電エネルギーを検知する蓄電検知部１８と、複数の記録媒体が連続して定着部材を通過する連続通紙のコピースタート時に、定着部材を通過する記録媒体の総枚数を予測する枚数予測部１１ａとを備え、制御部（ＣＰＵ１１）は枚数予測部１１ａが予測した記録媒体の総枚数が所定値以上の時、蓄電エネルギーが閾値以上であっても連続通紙に先立って商用電源１６から蓄電器への電力供給を行わせる。【選択図】図２
2005221697.tif 000002
【特許請求の範囲】
【請求項１】
商用電源により充電される蓄電器と、商用電源及び前記蓄電器から電力供給されて加熱する加熱部と、前記加熱部により加熱される定着部材と、前記蓄電器の蓄電エネルギーを検知する蓄電検知部とを備え、前記定着部材により未定着画像を加熱して記録媒体上に定着させる画像形成装置において、
前記蓄電エネルギーが閾値以上の場合、前記蓄電器から前記加熱部への電力供給を許可する制御部と、
複数の記録媒体が連続して前記定着部材を通過する連続通紙時に前記定着部材を通過する前記記録媒体の総枚数を予測する枚数予測部を備え、
前記制御部は、前記枚数予測部が予測した前記記録媒体の総枚数が所定値以上の場合、前記蓄電エネルギーが前記閾値以上の場合であっても前記連続通紙に先立って前記商用電源から前記蓄電器への充電を行わせることを特徴とする画像形成装置。
【請求項２】
前記制御部は、前記枚数予測部が予測した前記記録媒体の総枚数が所定値以上の場合、前記連続通紙に先立って前記総枚数に対応する充電終了用の閾値を設定し、該充電終了用の閾値に至るまで前記商用電源から前記蓄電器への充電を行わせることを特徴とする請求項１に記載の画像形成装置。
【請求項３】
原稿上の画像を読み取る画像読み取り部を備え、
前記枚数予測部は、前記画像読み取り部の原稿読み取り情報に基づき、前記総枚数を予測することを特徴とする請求項１または２に記載の画像形成装置。
【請求項４】
前記枚数予測部は、外部から入力されるプリント命令情報に基づき、前記総枚数を予測することを特徴とする請求項１または２に記載の画像形成装置。
【請求項５】
商用電源により充電される蓄電器と、商用電源及び前記蓄電器から電力供給されて加熱する加熱部と、前記加熱部により加熱される定着部材と、前記蓄電器の蓄電エネルギーを検知する蓄電検知部とを備え、前記定着部材により未定着画像を加熱して記録媒体上に定着させる画像形成装置において、
複数の記録媒体が連続して前記定着部材を通過する連続通紙時に前記蓄電エネルギーが閾値以上の場合、前記蓄電器から前記加熱部への電力供給を許可する制御部と、
前記連続通紙前に、前記連続通紙を予測する通紙予測部とを備え、
前記制御部は、前記連続通紙が予測された時、連続通紙開始前に、前記蓄電器の蓄電エネルギーが前記閾値未満の場合、前記商用電源から前記蓄電器への充電を行わせることを特徴とする画像形成装置。
【請求項６】
原稿上の画像を読み取る画像読み取り部を備え、
前記通紙予測部は、前記画像読み取り部の原稿読み取り情報に基づき、前記連続通紙を予測することを特徴とする請求項５に記載の画像形成装置。
【請求項７】
前記通紙予測部は、外部から入力されるプリント命令情報に基づき、前記連続通紙を予測することを特徴とする請求項５に記載の画像形成装置。
【発明の詳細な説明】
【技術分野】
【０００１】
本発明は、加熱部へ電力を供給する蓄電器を有する定着装置システムを備えた画像形成装置に関するものである。
【背景技術】
【０００２】
最近の複写機、プリンタ、ファクシミリ等の画像形成装置においては、電子写真方式で転写紙等の記録媒体上にトナー像を形成した後、定着装置を通過させてトナーを加熱させることにより記録媒体上にトナー像を定着させる方式が一般的である。
【０００３】
また、このような定着装置では、電力供給を受けた加熱部の発熱によりローラや無端ベルトなどを加熱し、そのローラや無端ベルトなどの定着部材を記録媒体と接触させることによってトナーを加熱するようにしている。ここで、加熱部への電力供給は商用交流電源からが一般的であったが、最近では蓄電器と併用して発熱部へ電力供給する定着装置システムも開発されている（例えば、特許文献１参照。）。
【０００４】
即ち、画像形成装置では装置立上げから複写終了までのトータルの複写時間の短縮が求められているが、上記定着装置システムが休止している状態から主電源が入れられるなどして立上げられる場合には、複数の加熱体へそれぞれ商用交流電源と蓄電器とから電力供給されて定着部材が加熱され、リロード温度まで急速に昇温することができ、装置が使用可能となるまでの待ち時間を短縮し、ひいてはトータルの複写時間を短縮することが可能であった。
【０００５】
【特許文献１】特開２００２−１７４９８８号公報
【発明の開示】
【発明が解決しようとする課題】
【０００６】
しかしながら、上記画像形成装置でも画像品質を確保することを最優先に制御する構成となっていることから、定着不良の防止を目的として通紙速度を通常より下げるために、複写時間を多く要する場合があり、トータルの複写時間の短縮化が困難なことがあった。
【０００７】
本発明は、以上の従来技術における問題に鑑みてなされたものであり、複数の記録媒体が連続して前記定着部材を通過する連続通紙のコピースタート時もしくは連続通紙前において蓄電器の利用形態を効率よく適切に制御することにより、連続通紙の複写速度を大きくし、トータルの複写時間を短縮することのできる画像形成装置を提供することを目的とする。
【課題を解決するための手段】
【０００８】
前記課題を解決するため、請求項１に記載の発明は、商用電源により充電される蓄電器と、商用電源及び前記蓄電器から電力供給されて加熱する加熱部と、前記加熱部により加熱される定着部材と、前記蓄電器の蓄電エネルギーを検知する蓄電検知部とを備え、前記定着部材により未定着画像を加熱して記録媒体上に定着させる画像形成装置において、前記蓄電エネルギーが閾値以上の場合、前記蓄電器から前記加熱部への電力供給を許可する制御部と、複数の記録媒体が連続して前記定着部材を通過する連続通紙時に前記定着部材を通過する前記記録媒体の総枚数を予測する枚数予測部を備え、前記制御部は、前記枚数予測部が予測した前記記録媒体の総枚数が所定値以上の場合、前記蓄電エネルギーが前記閾値以上の場合であっても前記連続通紙に先立って前記商用電源から前記蓄電器への充電を行わせることを特徴とする。
【０００９】
請求項２に記載の発明は、前記制御部は、前記枚数予測部が予測した前記記録媒体の総枚数が所定値以上の場合、前記連続通紙に先立って前記総枚数に対応する充電終了用の閾値を設定し、該充電終了用の閾値に至るまで前記商用電源から前記蓄電器への充電を行わせることを特徴とする。
【００１０】
請求項３に記載の発明は、原稿上の画像を読み取る画像読み取り部を備え、前記枚数予測部は、前記画像読み取り部の原稿読み取り情報に基づき、前記総枚数を予測することを特徴とする。
【００１１】
請求項４に記載の発明は、前記枚数予測部は、外部から入力されるプリント命令情報に基づき、前記総枚数を予測することを特徴とする。
【００１２】
請求項５に記載の発明は、商用電源により充電される蓄電器と、商用電源及び前記蓄電器から電力供給されて加熱する加熱部と、前記加熱部により加熱される定着部材と、前記蓄電器の蓄電エネルギーを検知する蓄電検知部とを備え、前記定着部材により未定着画像を加熱して記録媒体上に定着させる画像形成装置において、複数の記録媒体が連続して前記定着部材を通過する連続通紙時に前記蓄電エネルギーが閾値以上の場合、前記蓄電器から前記加熱部への電力供給を許可する制御部と、前記連続通紙前に、前記連続通紙を予測する通紙予測部とを備え、前記制御部は、前記連続通紙が予測された時、連続通紙開始前に、前記蓄電器の蓄電エネルギーが前記閾値未満の場合、前記商用電源から前記蓄電器への充電を行わせることを特徴とする。
【００１３】
請求項６に記載の発明は、原稿上の画像を読み取る画像読み取り部を備え、前記通紙予測部は、前記画像読み取り部の原稿読み取り情報に基づき、前記連続通紙を予測することを特徴とする。
【００１４】
請求項７に記載の発明は、前記通紙予測部は、外部から入力されるプリント命令情報に基づき、前記連続通紙を予測することを特徴とする。
【発明の効果】
【００１５】
本発明によれば、連続通紙のコピースタート時もしくは連続通紙前に連続コピー動作に伴う全コピー枚数が所定値以上の場合、その総枚数に応じて充電終了用の閾値を設定するとともに蓄電器を充電終了用の閾値まで充電した後、蓄電器からの放電電圧で加熱部を発熱させるように構成したため、蓄電器の放電を決定する閾値を最悪通紙条件でなく、平均的な使用により想定される通紙条件に耐え得る充電終了用の閾値まで蓄熱器を充電し、これにより蓄電器を有効活用することが可能となり、かつあらかじめの閾値では定着不良が起こり得る通紙条件の際には、高く設定した電圧の蓄電器の放電を以って定着部材の能力、即ち高い非温度低下性を維持して高品質の定着を得ることが可能となる。
また、蓄電器の充電開始とともに各原稿の読み取り処理をも開始させることにより充電中の待機時間を有効に利用し、総複写時間を短縮することが可能となる。
【発明を実施するための最良の形態】
【００１６】
以下に、本発明の各実施の形態の前提となる構成について説明する。
図９に定着装置の例を示す。図９に示す定着装置は、加熱部の一態様であるヒータ９３，９４により加熱され図中時計回りの方向に回転する定着ローラ（定着部材）９１と、定着ローラ９１に一定のニップ圧で押圧し図中反時計回りの方向に回転する加圧ローラ（定着部材）９２と、定着ローラ９１に当接しその表面温度を検出する温度センサ（温度検出部）９５とを備えている。
【００１７】
定着ローラ９１は、通常は中空円筒形状のローラであるが、無端ベルトの形態であっても良い。また、定着装置の立上り時には静止状態であり、記録媒体であるシートＰが通される通紙時には図中時計回りの方向に回転する。
【００１８】
加圧ローラ９２は、通常はその表面がシリコーンゴム等の弾性部材で構成された円筒形状のローラであるが、無端ベルトの形態であっても良い。また、加圧ローラ９２の定着炉―ラ９１への押し当ては、図示しない加圧手段により一定の圧力で定着ローラ９１の方向へ押圧されることにより行われる。また、加圧ローラ９２も定着装置の立上り時には静止状態であり、記録媒体であるシートＰが通される通紙時には図中反時計回りの方向に回転する。尚、定着ローラ９１及び加圧ローラ９２の回転駆動は図示していない駆動機構により行われる。
【００１９】
ヒータ９３，９４は、全て定着ローラ９１の中空部内に配置されているが、それぞれシート状のヒータとして、定着ローラ９１の上側部分を覆う状態で配置しても良い。
【００２０】
ヒータ９３は、商用電源等の外部電源（以下、商用電源と称する）から電力が供給されることで発熱し、その輻射熱により定着ローラ９１を加熱する。
ヒータ９４は、蓄電器から電力が供給されることで発熱し、その輻射熱により定着ローラ９１を加熱する。
ヒータ９３，９４は電力が供給されて発熱し、定着ローラ９１を加熱することができるものであればヒータの種類に特に制約はなく、また定着ローラ９１を加熱する任意の位置に配置可能である。
【００２１】
温度センサ９５は、定着ローラ９１の表面温度が検出できる温度計であれば接触式、非接触式を問わず、放射温度計、熱電対等何れでも良い。
【００２２】
画像形成装置で画像形成処理が行われる場合、電子写真方式により未定着画像であるトナーＴを担持した記録媒体であるシートＰは加熱された定着ローラ９１と加圧ローラ９２とのニップ部を通過する際に、定着ローラ９１と加圧ローラ９２とにより加熱され、シートＰにトナーＴが定着される。このとき、トナーＴがシートＰに定着するためには所定の熱が必要であり、そのために定着ローラ９１の表面温度がトナーＴの定着可能な温度であるリロード温度となるようにヒータ９３，９４への電力供給が制御されている。
【００２３】
図１０に定着装置システムの回路構成例を示す。図１０において、ヒータ９３は商用電源（外部電源）８６から供給される電力により発熱し、ヒータ９４は蓄電部の一態様であるキャパシタ８７から供給される電力により発熱する構成となっている。ヒータ９４は複数本のヒータがキャパシタ８７と並列に接続されたものが好ましく、図示していないスイッチの切替えによりこれらのヒータのいずれか１本あるいはすべてがキャパシタ８７と接続されるようにすると良い。例えば、装置立上げ時には全てのヒータがキャパシタ８７に接続され、通紙時にはいずれか選択されたヒータが接続されるようにする。
【００２４】
キャパシタ８７は、電気二重層キャパシタ等の静電容量がファラッドオーダ以上の大きな容量を有するキャパシタを用いることが好ましい。また、キャパシタ８７には蓄電検知器８８が接続されている。
【００２５】
蓄電検知器８８により検出されたキャパシタ８７の蓄電エネルギー（残電力量）の指標となるキャパシタ電圧、並びに温度センサ９５により検出された定着ローラ９１の温度は、それぞれ検知信号として入力回路を経て制御部の一態様であるＣＰＵ８１に取り込まれる。ＣＰＵ８１は蓄電検知器８８、温度センサ９５からの検知信号に基づいて定着ローラ９１の表面温度が設定温度になるように、トライアック８３を介するヒータ９３への通電、及びＦＥＴ８５を介するヒータ９４への通電をそれぞれコントローラ８２、８４により制御する。尚、キャパシタ８７は、スイッチ８９の切替えにより、充電装置８ａに接続されて充電可能となる。
【００２６】
図１１は、上記定着装置システムの主要部の機能構成を示すブロック図である。
図１１では、ＣＰＵ８１内に判定部８１ａ、モード選択部８１ｂを備える構成となっている。また、判定部８１ａは予め設定されたキャパシタ電圧に関する閾値を持っており、モード選択部８１ｂは装置立上げ時及び通紙動作時のキャパシタ８７からヒータ９４への電力供給の許可・不許可、そのキャパシタ８７からの電力供給許可・不許可に応じたＣＰＭ（１分間当りのコピー枚数）設定など複数のモードを持っている。
【００２７】
モード選択部８１ｂが行うモード選択は例えば次のように行われる。
（ｓ５１）コピースタートボタンにより連続コピー命令が出される。
（ｓ５２）キャパシタ８７のキャパシタ電圧が蓄電検知部８８により検出され、その検知信号がＣＰＵ８１に取りこまれる。
（ｓ５３）ＣＰＵ８１内の判定部８１ａにおいて、検出されたキャパシタ電圧と閾値とが比較され、その大小を判定して、判定結果がモード選択部８１ｂに送られる。
（ｓ５４）モード選択部８１ｂにおいて、ステップｓ５３の判定結果に応じてモード選択が行われ、選択されたモードに基づいて定着装置システムを含めて画像形成装置の動作が制御される。
【００２８】
上記ステップｓ５４で選択されるモードとしては、例えば、次のようなものが用意されている。
（モード５１）検出されたキャパシタ電圧が閾値以上の場合、キャパシタ８７からヒータ９４へ電力供給を許可し、ＣＰＭを通常条件とする。
（モード５２）検出されたキャパシタ電圧が閾値未満の場合、キャパシタ８７からヒータ９４へ電力供給を不許可とし、ＣＰＭを低下（ダウン）させた条件とする。この場合、連続通紙による定着ローラ９１の温度の落ち込みを補うだけの電力供給ができず、ＣＰＭが通常条件では定着不良が発生してしまうため、ＣＰＭをダウンさせて画像品質を確保するものである。
【００２９】
連続通紙を行う際にキャパシタ電圧が閾値未満の場合（モード５２）の上記定着装置システムの動作例を図１２に示す。この場合、前提条件は次の通りとする。
・放電開始閾値：３０Ｖ
・ＣＰＭ通常条件：７５ＣＰＭ
・ＣＰＭダウン条件：４０ＣＰＭ
・コピー命令：４０枚連続通紙
・コピー命令時のキャパシタ電圧：２７Ｖ
【００３０】
（ｓ６１）コピースタートボタンにより連続コピー命令が出されと、キャパシタ８７のキャパシタ電圧（２７Ｖ）が蓄電検知部８８により検出され、その検知信号がＣＰＵ８１に取りこまれる。
（ｓ６２）判定部８１ａにおいて、キャパシタ電圧（２７Ｖ）が閾値（３０Ｖ）未満であると判定され、判定結果がモード選択部８１ｂに送られる。
（ｓ６３）モード選択部８１ｂにおいて、キャパシタ８７からヒータ９４へ電力供給が不許可、ＣＰＭダウン条件（４０ＣＰＭ）のモードが選択される。
（ｓ６４）商用電源８６からヒータ９４への電力供給が開始され、定着ローラ９１が加熱され、立上げ時間として３０ｓを要する。このとき、キャパシタ８７は待機状態である。
（ｓ６５）４０ＣＰＭで通紙が開始され、商用電源８６だけで定着ローラ９１の温度が維持され、定着状態の良好なコピーが可能となる。なお、通紙時間として６０ｓを要する。即ちトータルの複写時間は９０秒となる
【００３１】
以上のように、連続通紙枚数が比較的少なく、定着ローラの温度落込みもわずかな場合でも、キャパシタの充電電圧が閾値未満である場合には通紙速度を低くして、キャパシタの蓄電電力を利用せずに画像形成を行っており、複写に時間を要していた。
発明者らは、この問題が充電電圧の閾値は複写機の仕様に応じて、いかなる連続通紙枚数，紙種でも温度落込みが発生しないように設定しているために発生していることに着目し、鋭意検討したところ、キャパシタを効率よく活用することで上記問題を解決する本発明を成すに至った。
【００３２】
以下に、本発明に係る画像形成装置内の定着装置システムの第１の実施の形態について説明する。尚、本実施の形態においては定着装置システムの連続通紙時の一例について説明するが、これに限定されるものではない。
【００３３】
図１は、本発明に係る定着装置システムの回路図である。
定着装置システム１０Ａは、図１０に示した本発明の実施の形態の前提となる構成のうち、ＣＰＵ（特許請求の範囲に記載の制御部に相当）１１の動作が異なり、それ以外は基本的に図１０の構成と同じである。即ちヒータ９３に接続される商用電源１６、ヒータ９４に接続されるキャパシタ１７、さらにキャパシタ１７に接続される蓄電検知器１８、商用電源１６の電力供給の制御に関するコントローラ１２及びトライアック１３、キャパシタ１７の電力供給の制御に関するコントローラ１４及びＦＥＴ１５、スイッチ１９、充電装置１ａを備える。但し、キャパシタ１７は、例えば１セル当たり２．５Ｖ、容量５００Ｆの電気二重層キャパシタを２０個用いたバンク構成が一例として採用されている。ヒータ９３は例えば定格９００Ｗ、ヒータ９４は例えば定格１０００Ｗ、定格８００Ｗの２本のヒータからなる。定着装置は図９に示す構成のもと同様で良い。
【００３４】
図２は、本実施の形態の定着装置システムの主要部の機能構成を示すブロック図である。図２に示すように、ＣＰＵ１１は、第１に、内部の制御実行部Ｃａに、キャパシタ１７の充放電を制御（即ちスイッチ１９を制御）する充放電制御部（特許請求の範囲に記載の制御部に相当）１１Ａと、充電終了用の閾値を設定（但しあらかじめ固定的に設定しておいても良い）する際の一方のコア的技術をなす枚数予測部１１ａと、充電終了用の閾値を設定する際の他方のコア的技術をなす閾値設定部（特許請求の範囲に記載の制御部に相当）１１ｂと、連続通紙の総枚数が所定値（以下、枚数閾値と称する）以上であるか否かを判定する他、現在のキャパシタ電圧（即ち蓄電エネルギー）が放電開始閾値（特許請求の範囲に記載の閾値に相当）以上であるか否か、及び充電終了用の閾値以上であるか否かを判定する判定部（特許請求の範囲に記載の制御部に相当）１１ｃと、後述するモードを選択するモード選択部（特許請求の範囲に記載の制御部に相当）１１ｄとを随時機能的に構成するものである。
【００３５】
また、ＣＰＵ１１は、第２に、内部の情報解析部Ｄｄに、蓄電検知部１８、温度センサ９５、画像読み取り部１ｂ、外部入力部１ｃ、コピー枚数等を指定する例えばテンキーＴｋｅ、コピースタートスイッチＣｓｗ等からの各種情報を取り込めるよう各々との電気的な接続関係を有する。即ちＣＰＵ１１は、本発明の一つの視点である連続通紙時においては、蓄電検知器１８により検出されたキャパシタ１７の蓄電エネルギー（残電力量）の指標となるキャパシタ電圧の情報、並びに温度センサ９５により検出された定着ローラ９１の温度情報を各々検知信号として取り込む。この他、詳しくは後述する。
【００３６】
充放電制御部１１Ａは、第１に例えば記録媒体（シートＰ）が連続して定着ローラ（定着部材）９１を通過する連続通紙時に、キャパシタ１７の蓄電エネルギーがあらかじめ設定された閾値（例えば２５Ｖ）以上である場合は、キャパシタ１７からヒータ９４に対し電力供給を開始することを許可しかつ実行するためスイッチ１９を放電側に制御する。即ちスイッチ制御信号を出力することでスイッチ１９を制御するものであり、例えば論理回路やリレー接点等を用いる態様がある。
【００３７】
充放電制御部１１Ａは、第２に後述する如く枚数予測部１１ａの動作を介する閾値設定部１１ｂが充電終了用の閾値（例えば３０Ｖ）を設定した場合は、あらかじめ設定してある閾値（例えば２５Ｖ）を考慮することなくキャパシタ１７に商用電源１６からの電力供給を与えて充電すべくスイッチ１９を充電側に制御する。キャパシタ１７の蓄電エネルギーが充電終了用の閾値（例えば３０Ｖ）に達した場合は、キャパシタ１７からヒータ９４に対し電力供給を開始すべくスイッチ１９を放電側に制御する。但し、この放電制御は既にコピースタートスイッチＣｓｗがＯＮ操作されている場合（コピースタート待機状態）か、もしくはコピースタートスイッチＣｓｗのＯＮ操作を待って行われる。
【００３８】
尚、閾値が例えば２５Ｖに設定される場合は、連続通紙の総枚数が例えば統計的に十分に対応し得る範囲を勘案した場合であり、これにより殆どの場合、無駄な電力消費を節約することが可能となる。但し閾値は、定着装置システム（定着ローラ９１）１０Ａの形式やサイズ等、ひいては画像形成装置の形式やサイズ等により随時適切に設定されるものである。
【００３９】
一方、キャパシタ１７の最大蓄電エネルギーは、本例の場合、例えば１セル当たり２．５Ｖの電気二重層キャパシタを２０個用いたバンク構成であるから最大５０Ｖであり、かつヒータ９４をほぼ最大に発熱させるには蓄電エネルギーが例えば３０Ｖあれば良く、従ってこれらの関係から充電開始閾値を例えば２５Ｖ以上に設定するという態様がある。但し、これらの閾値は定着装置（定着ローラ９１）の大きさや、商用電源１６で発熱するヒータ９３のあらかじめ設定した発熱能力等により任意に設定されるものである。
【００４０】
商用電源１６からキャパシタ１７に電力供給を行って蓄電エネルギーが例えば２７Ｖから例えば放電開始閾値（充電終了用の閾値）例えば３０Ｖに昇圧する場合、蓄電エネルギーを１Ｖ上昇させるのに例えば５ｓかかるとすれば、充電で１５ｓの時間を要することになる。
【００４１】
枚数予測部１１ａは、連続通紙時に定着装置（定着ローラ９１）に連続通紙される総枚数を予測して総枚数情報を出力し一時的に記憶させるものである。総枚数の予測には、例えば画像読み取り部１ａから画像読み取り時に得られる原稿枚数情報（例えばテンキーＴｋｅの操作に基づく）と、コピー命令の際に入力されるコピー枚数情報（例えばテンキーＴｋｅの操作に基づく）とを乗じた値を総枚数とすれば良い。また、外部入力部（例えば所要の情報処理装置、電子計算機等）１ｃから入力されるプリント命令情報に含まれる原稿枚数情報とプリントアウト枚数情報とから求められる枚数を総枚数としても良い。この他、オートシートフィーダに先端にローラ等を有する往復移動体（図示せず）の変位に基づく電圧変化（電流変化）を検出して総枚数を予測する態様、もしくはオートシートフィーダに光学的に原稿枚数の厚みを検出して総枚数を予測する態様等を採用しても良い。
【００４２】
閾値設定部１１ｂは、枚数予測部１１ａからの総枚数情報に基づいて、連続通紙時のキャパシタ電圧（蓄電エネルギー）に関する閾値（即ち充電終了用の閾値）を設定する機能を有する。
【００４３】
詳しくは、総枚数をある範囲で区切り、その範囲毎に充電終了用の閾値を持たせておき、枚数予測部１１ａからの総枚数情報が該当する範囲の充電終了用の閾値に設定されるようにする。例えば、ある総枚数ｎ未満では従来の閾値（例えば２５Ｖ）とし、総枚数ｎ以上であれば従来の閾値よりも増加させた値（例えば３０Ｖ）を充電終了用の閾値とすれば良い。あるいは、まず総枚数情報からＣＰＭ通常条件で連続給紙した場合の通紙時間ｔ１を算出し、次いで連続通紙時にキャパシタ１７からヒータ９４に電力供給する状態を仮定して、キャパシタ１７が放電可能な電圧の上限であるキャパシタ上限電圧から通紙時間ｔ１だけさかのぼる形で逆算してキャパシタ電圧を求め、この値を充電終了用の閾値としても良い。設定された充電終了用の閾値（例えば３０Ｖ）の情報は判定部１１ｃに送られる。
【００４４】
判定部１１ｃは、第１に連続通紙時に枚数予測部１１ａが予測した総枚数の情報を取込んで連続通紙の総枚数があらかじめ設定された枚数閾値以上であるか否かを比較して判定し総枚数の判定情報を閾値設定部１１ｂに出力する。第２に現在のキャパシタ電圧（即ち蓄電エネルギー）が放電終了用の閾値（例えば３０Ｖ）以上であるか否かを比較して判定し判定情報を充放電制御部１１Ａに出力する。第３に充放電制御部１１Ａが連続通紙時にキャパシタ１７を充電させる制御を行った後、蓄電エネルギーが充電終了用の閾値以上となったか否かを比較して判定し肯定する場合に充電完了の判定情報を充放電制御部１１Ａに出力する。
【００４５】
モード選択部１１ｄは、装置立上げ時及び通紙動作時のキャパシタ１７からヒータ９４への電力供給の許可・不許可、そのキャパシタ１７からのヒータ９４への電力供給許可・不許可に応じたＣＰＭ（１分間当りのコピー枚数）設定など複数のモードを持っている。
【００４６】
モード選択部１１ｄが有する複数のモードのうち、例えば、モード１は、コピー枚数が枚数閾値（例えば５０枚）以下にあり、キャパシタ電圧があらかじめ設定された閾値（例えば２５Ｖ）以上にある場合、連続通紙時にキャパシタ１７からヒータ９４への電力供給を許可し、ＣＰＭを通常条件に設定する。一方、モード２は、コピー枚数が枚数閾値（例えば５０枚）以上にある場合（キャパシタ電圧があらかじめ設定された閾値（例えば２５Ｖ）以上にあるか否かは考慮せず）、連続通紙時にキャパシタ１７に充電終了用の閾値（例えば３０Ｖ）に達するまで充電を行った後、キャパシタ１７からヒータ９４への電力供給を許可し、かつ通常条件に設定した後、リロード温度の検出で商用電源１６からヒータ９３への電力供給を許可する。
【００４７】
尚、ＣＰＭ設定の場合、例えば７５ＣＰＭもしくは４０ＣＰＭを設定する場合があり、本例ではこの範囲内を例示するものであるが、これに限定されるものでなく、さらに多くのＣＰＭが設定可能となるようにしても良いことは勿論である。
【００４８】
次に、図３を参考に、本実施の形態の定着装置システムのモード１の動作例を説明する。前提条件は次の通りとする。
・放電開始閾値（連続通紙時）：２５Ｖ
・枚数閾値：５０枚
・充電終了用の閾値：３０Ｖ
・ＣＰＭ通常条件：７５ＣＰＭ
・ＣＰＭダウン条件：４０ＣＰＭ
・コピー指令時のコピー総枚数：４０枚
・コピー指令時のキャパシタ電圧：２７Ｖ
【００４９】
（ｓ１１）例えばテンキーＴｋｅの操作による連続通紙のコピー枚数情報の指定を検出するとともに、枚数予測部１１ａにおいて、画像読み取り部１ａから取り込まれる原稿枚数情報と、コピー枚数情報とを乗じて総枚数（４０枚）を求め、かつＣＰＵ１１の情報解析部でコピースタートボタンＣｓｗのＯＮ操作による連続コピー命令を検出する。
（ｓ１２）閾値設定部１１ｂにおいて、総枚数（４０枚）の情報に基づき、即ち総枚数（４０枚）が枚数閾値５０枚よりも低いので充電終了用の閾値の設定は行わず、総枚数（４０枚）の情報を判定部１１ｃに送る。また、ＣＰＭを通常のＣＰＭ、即ち７５ＣＰＭに設定する。
（ｓ１３）判定部１１ｃにおいて、蓄電検知部１８を通してキャパシタ１７の現在の蓄電エネルギーを検出するとともに、現在のキャパシタ電圧（蓄電エネルギー）が放電開始閾値（２５Ｖ）以上であるか否かを判定する。本例ではコピー開始時のキャパシタ電圧は２７Ｖであったから、放電開始電圧２５Ｖ以上であることが判定される。
（ｓ１４）画像形成装置の連続コピー動作に係る各主要部（定着装置システムを含む）を待機状態にする。
（ｓ１５）商用電源１６からヒータ９３に電力供給を行って立ち上げ動作に入る。即ち温度センサ９５からの定着ローラ９１の温度計測に基づく温度情報を検出するとともに、定着ローラ９１がリロード温度に達したか否かを判定する。定着ローラ９１の立ち上げ動作には３０ｓの時間を要する。
（ｓ１６）定着ローラ９１の温度がリロード温度に達した場合、画像形成装置の連続コピー動作に係る各主要部（定着装置システム１０Ａを含む）の待機状態を解除するとともに、コピースタートスイッチＣｓｗのＯＮ操作を有効にし、商用電源１６からの供給電力でヒータ９３の発熱を継続するとともに、キャパシタ１７からの放電電力（２７Ｖ）でヒータ９４を発熱させ、これらの発熱で定着ローラ９１を効率良く加熱する。
（ｓ１７）連続コピー動作に伴い定着ローラ９１の加熱と加圧ローラ９２のニップ圧とをもって７５ＣＰＭで連続通紙される各シートＰに順次未転写画像を定着する。
（ｓ１８）全てのコピー動作が終了すると、次回のコピー動作に備えて商用電源１６からキャパシタ１７への充電を行う。充電後の蓄電エネルギーは例えば２５Ｖとする。
【００５０】
本実施の形態の場合、全コピー処理に要する時間は、３０ｓ＋３２ｓであり、従来（図６参照）と比べた場合、４３ｓ短縮することが可能となった。
【００５１】
次に、図４を参考に、本実施の形態の定着装置システムのモード２の動作例を説明する。前提条件は次の通りとする。
・放電開始閾値（連続通紙時）：２５Ｖ
・枚数閾値：５０枚
・充電終了用の閾値（強制充電閾値）：３０Ｖ
・ＣＰＭ通常条件：７５ＣＰＭ
・ＣＰＭダウン条件：４０ＣＰＭ
・コピー指令時のコピー総枚数：１００枚
・コピー指令時のキャパシタ電圧：２７Ｖ
【００５２】
（ｓ２１）例えばテンキーＴｋｅの操作による連続通紙のコピー枚数情報の指定を検出するとともに、枚数予測部１１ａにおいて、画像読み取り部１ａから取り込まれる原稿枚数情報と、コピー枚数情報とを乗じて総枚数（１００枚）を求め、かつＣＰＵ１１の情報解析部でコピースタートボタンＣｓｗのＯＮ操作による連続コピー命令を検出する。
（ｓ２２）閾値設定部１１ｂにおいて、総枚数（１００枚）の情報に基づき、即ち総枚数（１００枚）が枚数閾値５０枚よりも高いので充電終了用の閾値（３０Ｖ）の設定を行って、総枚数（１００枚）の情報及び充電終了用の閾値（３０Ｖ）の情報を判定部１１ｃに送り、かつＣＰＭを通常のＣＰＭ、即ち７５ＣＰＭに設定する。
（ｓ２３）画像形成装置の連続コピー動作に係る各主要部（定着装置システムを含む）を待機状態にする。
（ｓ２４）充放電制御部１１Ａがスイッチ１９を充電側に制御して、商用電源１６からキャパシタ１７への電力供給を行って充電する。
（ｓ２５）判定部１１ｃにおいて、蓄電検知部１８を通してキャパシタ１７の現在の蓄電エネルギーを検出するとともに充電終了用の閾値（３０Ｖ）と比較して、現在の蓄電エネルギーが充電終了用の閾値（３０Ｖ）に達したか否かを判定する。例えば１Ｖ充電するのに５ｓの時間を要する場合、コピー指定時のキャパシタ電圧は２７Ｖであったから、その差３Ｖであり乗算すると、キャパシタ１７の蓄電エネルギーが３０Ｖに達するには１５ｓの時間を要することになる。
（ｓ２６）キャパシタ１７の蓄電エネルギーが３０Ｖに達したことが判定された場合、充放電制御部１１Ａがスイッチ１９を中立側に制御する一方で、ＣＰＵ１１の制御により商用電源１６からヒータ９３に電力供給を行って立ち上げ動作に入る。立ち上げ動作後は、判定部１１ｃが温度センサ９５からの定着ローラ９１の温度計測に基づく温度情報を検出するとともに、定着ローラ９１がリロード温度に達したか否かを判定する。定着ローラ９１の立ち上げ動作には３０ｓの時間を要する。
（ｓ２７）定着ローラ９１の温度がリロード温度に達した場合、画像形成装置の連続コピー動作に係る各主要部（定着装置システムを含む）の待機状態を解除するとともに、コピースタートスイッチＣｓｗのＯＮ操作を有効にし、ヒータ９３の発熱を継続するとともに、キャパシタ１７の放電電力（３０Ｖ）でヒータ９４をも発熱させ、これらの各発熱で効率良く定着ローラ９１を加熱する。
（ｓ２８）連続コピー動作に伴い定着ローラ９１の加熱と加圧ローラ９２のニップ圧とをもって７５ＣＰＭの連続通紙に際し順次各シートＰ上の未転写画像を定着する。
（ｓ２９）全てのコピー動作が終了すると、次回のコピー動作に備えて商用電源１６からキャパシタ１７への充電を行う。充電後の蓄電エネルギーは例えば２５Ｖとする。
【００５３】
本実施の形態の場合、全コピー処理に要する時間は、１５ｓ＋３０ｓ＋８０ｓであり、従来（図６参照）と比べた場合、５５ｓ短縮することが可能となった。
【００５４】
本実施の形態においては、連続通紙時に連続コピー動作に伴う全コピー枚数が所定値（枚数閾値）以上の場合、その総枚数に応じて充電終了用の閾値を設定するとともにキャパシタ１７を充電終了用の閾値まで充電した後、コピー開始とともにキャパシタ１７からの放電電圧でヒータ９４をも発熱させるように構成したため、キャパシタ１７の放電を決定する閾値を最悪通紙条件でなく、平均的な使用により想定される通紙条件に耐え得る閾値（特段に設定される充電終了用の閾値）に等しくしてキャパシタ１７を有効活用する他、あらかじめの閾値では定着不良が起こり得る通紙条件の際には、高く設定した閾値（充電終了用の閾値）までキャパシタを充電し、これにより定着ローラ９１の能力、即ち高い非温度低下性を維持して定着不良を確実に防止する定着装置システムを提供することができる。
【００５５】
次に、本実施の形態の定着装置システム１０Ａを画像形成装置に組み込んだ構成例を図５に示す。図５に示す画像形成装置１００では、像担持体としてのドラム状感光体１０１と、感光体１０１を一様に帯電する帯電手段１０２と、帯電後の感光体１０１上にレーザ光Ｌを露光して静電潜像を形成するレーザ光学系１４０と、感光体１０１上の静電潜像を現像してトナー像とする現像部１０７とで電子写真方式の機構が構成されている。また、感光体１０１上のトナー像は転写手段１０６により給紙カセット１１０から供給されるシートＰに転写され、トナー像が形成されたシートＰは定着装置システム１０に搬送され、定着ロール９１と加圧ロール９２とで加熱されることによりトナーがシートＰに定着される構成である。
【００５６】
画像形成装置１００において、主電源が入れられると画像形成装置１００の各部が起動するとともに、定着装置システム１０Ａも立上げ動作に入り、判定部１１ｃがキャパシタ１７の蓄電エネルギーを検出する一方、定着装置１０を含む所要の各部が待機状態に入る。連続通紙の総枚数が所定値（枚数閾値）以上である場合、充放電制御部１１Ａが商用電源１６からキャパシタ１７への電力供給を高く設定した充電終了用の閾値まで充電した後、ＣＰＵ１１が定着装置１０のヒータ９３を発熱させ立ち上げ動作を終了（リロード温度到達）させ、しかる時に待機状態を解消して充放電制御部１１Ａがキャパシタ１７からの放電を行わせヒータ９４を発熱させ、これらの発熱で定着ローラ９１を高効率で加熱する。かくてコピースタートボタンＣｓｗのＯＮ操作が有効になり連続コピー動作を行うことが可能となる。この場合も定着ロール９１の高い非温度低下性が維持される。
【００５７】
この場合もキャパシタ１７の放電を決定する閾値を最悪通紙条件でなく、平均的な使用により想定される通紙条件に耐え得る閾値（特段に設定される充電終了用の閾値）に等しくしてキャパシタ１７を有効活用する他、あらかじめの閾値では定着不良が起こり得る通紙条件の際には、高く設定した閾値（充電終了用の閾値）までキャパシタを充電し、これにより定着ローラ９１の能力、即ち高い非温度低下性を維持して定着不良を確実に防止する画像形成装置を提供することができる。
【００５８】
以下に、本発明に係る画像系装置の定着装置システムの第２の実施の形態について説明する。尚、本実施の形態においても第１の実施の形態で説明した定着装置システム１０Ａの前提となる技術を前提とするものであり、この点の重複する説明は省略する。
【００５９】
まず、本発明の前提となる上記定着装置システムにおいて連続通紙を行う場合に検出されたキャパシタ電圧が閾値未満の場合の動作例を図６に示す。この場合、前提条件は次の通りとする。
・放電開始閾値（連続通紙時及び放電時）：３０Ｖ
・ＣＰＭ通常条件：７５ＣＰＭ
・ＣＰＭダウン条件：４０ＣＰＭ
・コピー命令：１００枚連続通紙
・コピー命令時のキャパシタ電圧：２７Ｖ
【００６０】
（ｓ３１）電源投入スイッチにより装置の立ち上げ命令が出力されると、キャパシタ８７のキャパシタ電圧（２７Ｖ）が蓄電検知部８８により検出され、その検知信号がＣＰＵ８１に取りこまれる。
（ｓ３２）判定部８１ａにおいて、キャパシタ電圧（２７Ｖ）が閾値（３０Ｖ）未満であると判定され、判定結果がモード選択部８１ｂに送られる。
（ｓ３３）モード選択部８１ｂにおいて、キャパシタ８７からヒータ９４へ電力供給が不許可、ＣＰＭダウン条件（４０ＣＰＭ）のモードが選択される。
（ｓ３４）商用電源８６からヒータ９３への電力供給が開始され、定着ローラ９１が加熱され、立上げ時間として３０ｓを要する。このとき、キャパシタ８７は待機状態である。
（ｓ３５）温度センサ９５により定着ローラ９１の温度が検出されるとともに、定着ローラ９１の温度がリロード温度に達したか否かが判定される。
（ｓ３６）リロード温度に達した場合、４０ＣＰＭで通紙が開始され、商用電源８６だけで定着ローラ９１の温度が維持され、定着状態の良好なコピーが可能となる。このとき、キャパシタ８７は待機状態である。尚、通紙時間として１５０ｓを要する。即ち、４０ＣＰＭでトータル１００枚の複写時間は立ち上げ時間３０ｓと合わせて１８０秒となる
【００６１】
以上のように、連続通紙枚数が比較的少なく、定着ローラの温度落込みもわずかな場合でも、キャパシタの充電電圧が閾値未満である場合には通紙速度を低くして、キャパシタの蓄電電力を利用せずに画像形成を行っており、複写に時間を要していた。
発明者らは、この問題が充電電圧の閾値は複写機の仕様に応じて、いかなる連続通紙枚数，紙種でも温度落込みが発生しないように設定しているために発生していることに着目し、鋭意検討したところ、キャパシタを効率よく活用することで上記問題を解決する本発明を成すに至ったものである。
【００６２】
即ち、本発明の第２の実施の形態に係る画像形成装置内の定着装置システムは上記着眼点に鑑みて以下の構成を備えるものである。尚、本実施の形態の定着装置システム１０Ｂも、第１の実施の形態で図１に示した構成と同様の構成を備えるものであり、この点の重複する説明は省略する。
【００６３】
図７は、本実施の形態の定着装置システム１０Ｂの主要部の機能構成を示すブロック図である。図７に示すように、ＣＰＵ１１は、第１に、内部の制御実行部Ｃａに、キャパシタ１７の充放電を制御（即ちスイッチ１９を制御）する充放電制御部（特許請求の範囲に記載の制御部に相当）１１Ａと、連続通紙を予測する通紙予測部１１Ｂと、通紙予測部１１Ｂが連続通紙を予測した場合に充電終了用の閾値を設定する閾値設定部（特許請求の範囲に記載の制御部に相当）１１ｂと、連続通紙が予測された場合に現在のキャパシタ電圧（即ち蓄電エネルギー）が放電開始閾値（特許請求の範囲に記載の閾値に相当）以上であるか否か、及び充電終了用の閾値以上であるか否かを判定する判定部（特許請求の範囲に記載の制御部に相当）１１ｃと、後述するモードを選択するモード選択部（特許請求の範囲に記載の制御部に相当）１１ｄとを随時機能的に構成するものである。
【００６４】
通紙予測部１１Ｂは、連続通紙の予測には、例えば画像読み取り部１ａから画像読み取り時に得られる原稿枚数情報（例えばテンキーＴｋｅの操作に基づく）や、コピー命令の際に入力されるコピー枚数情報（例えばテンキーＴｋｅの操作に基づく）を用いるという形態がある。また、連続通紙の予測には、外部入力部（例えば所要の情報処理装置、電子計算機等）１ｃから入力されるプリント命令情報に含まれる原稿枚数情報や、プリントアウト枚数情報を用いるという態様がある。この他、オートシートフィーダに先端にローラ等を有する往復移動体（図示せず）を設け、その変位に基づく電圧変化（電流変化）を検出して連続通紙を予測する態様、もしくはオートシートフィーダに光学的に原稿枚数の厚みを検出することで連続通紙を予測するという態様等もある。
【００６５】
尚、ＣＰＵ１１が行う制御の一つには、通紙予測部１１Ｂが動作を開始する際、即ち連続通紙の予測を開始する時点、あるいは連続通紙の予測が判明した後、キャパシタ１７に商用電源１６からの電力供給を行って充電を開始する時点で、各原稿の画像を読み込む処理を開始して所要のメモリにあらかじめ記憶しておくという制御がある。キャパシタ１７の充電中の空き時間（即ち充電中の待機時間）を各原稿の読み込み処理をもって有効に利用するという技術的思想である。各原稿の画像を読み込む処理は、キャパシタ１７の充電終了用の閾値（例えば３０Ｖ）までの充電が終了した後、必要があれば定着ローラ９１をリロード温度まで加熱する待機時間中も継続するという場合も当然にあり得る。これを以って総複写時間の短縮を図ることも可能となる。但し、定着ローラ９１をリロード温度まで加熱する待機時間を経過しても原稿の読み込みを継続するか否かの判断は任意に定めるものであり、例えば複写処理を行うオペレータの判断（選択操作）に任せても良い。
【００６６】
上記ＣＰＵ１１の制御（待機時間中の原稿読み取り制御）は第１の実施の形態の画像形成装置に適用しても良いことは勿論である。
【００６７】
また、ＣＰＵ１１は、第２に、内部の情報解析部Ｄｄに、蓄電検知部１８、温度センサ９５、画像読み取り部１ｂ、外部入力部１ｃ、コピー枚数等を指定する例えばテンキーＴｋｅ、コピースタートスイッチＣｓｗ等からの各種情報を取り込めるよう各々との電気的な接続関係を有する。即ちＣＰＵ１１は、本発明の一つの視点である連続通紙の際には連続通紙前（即ち連続通紙開始前）において、蓄電検知器１８により検出されたキャパシタ１７の蓄電エネルギー（残電力量）の指標となるキャパシタ電圧の情報、並びに温度センサ９５により検出された定着ローラ９１の温度情報を各々検知信号として取り込む。この他、詳しくは後述する。
【００６８】
充放電制御部１１Ａは、第１に通紙予測部１１Ｂが記録媒体（シートＰ）が連続して定着ローラ（定着部材）９１を通過する連続通紙を予測した場合、キャパシタ１７の蓄電エネルギーがあらかじめ設定された閾値（例えば２５Ｖ）以上であれば、キャパシタ１７からヒータ９４に対し電力供給を開始することを許可しかつ実行するためスイッチ１９を放電側に制御する。
【００６９】
充放電制御部１１Ａは、第２に通紙予測部１１Ｂが記録媒体（シートＰ）が連続して定着ローラ（定着部材）９１を通過する連続通紙を予測したことで、閾値設定部１１ｂが充電終了用の閾値（例えば３０Ｖ）を設定した場合は、一つにはあらかじめ設定してある放電開始閾値（例えば２５Ｖ）を考慮することなくキャパシタ１７に商用電源１６からの電力供給を与えて充電すべくスイッチ１９を充電側に制御する。キャパシタ１７の蓄電エネルギーが充電終了用の閾値（例えば３０Ｖ）に達した場合は、リロード温度に基づく立ち上げ動作終了後に、キャパシタ１７からヒータ９４に対し電力供給を開始すべくスイッチ１９を放電側に制御する。但し、この放電制御（連続通紙開始時点ともなり得る）は既にコピースタートスイッチＣｓｗがＯＮ操作されている場合（コピースタート待機状態）か、もしくはコピースタートスイッチＣｓｗのＯＮ操作を待って行われる。
【００７０】
一方、放電開始閾値が例えば２５Ｖに設定される場合は、第１の実施の形態の場合と同様に連続通紙の総枚数が例えば統計的に十分に対応し得る範囲を勘案した場合であり、これにより殆どの場合、無駄な電力消費を節約することが可能となるからであり、即ち本例の画像形成装置（定着ローラ９１）は、第１の実施の形態で説明したものと同一のものであることを前提とする。
【００７１】
一方、キャパシタ１７には、本例の場合も、例えば１セル当たり２．５Ｖの電気二重層キャパシタを２０個用いたバンク構成が採用されているものとする。
【００７２】
閾値設定部１１ｂは、通紙予測部（枚数予測部１１ａ）１１Ｂからの連続通紙情報に基づいて、連続通紙開始前のキャパシタ電圧（蓄電エネルギー）に関する閾値（即ち充電終了用の閾値）を設定する機能を有する。
【００７３】
充電終了用の閾値の設定に際しては、第１の実施の形態の場合と同様に、一つには例えば総枚数をある範囲で区切り、その範囲毎に充電終了用の閾値を設定しておいて、枚数予測部１１ａからの総枚数情報が該当する範囲の充電終了用の閾値を選定する態様がある。例えば、ある総枚数ｎ未満では従来の閾値（例えば２５Ｖ）とし、総枚数ｎ以上であれば従来の閾値よりも増加させた値（例えば３０Ｖ）を充電終了用の閾値とするのも好ましい。また、一つには総枚数情報からＣＰＭ通常条件で連続給紙した場合の通紙時間ｔ１を算出し、次いで連続通紙時にキャパシタ１７からヒータ９４に電力供給する状態を仮定して、キャパシタ１７が放電可能な電圧の上限であるキャパシタ上限電圧から通紙時間ｔ１だけさかのぼる形で逆算してキャパシタ電圧を求め、この値を充電終了用の閾値とする態様がある。
【００７４】
判定部１１ｃは、第１に連続通紙が予測されて充電終了用の閾値（例えば３０Ｖ）が設定された場合に現在の蓄電エネルギーと充電終了用の閾値とを比較して判定し判定情報を充放電制御部１１Ａに出力する。第２に現在のキャパシタ電圧（即ち蓄電エネルギー）が充電終了用の閾値（例えば３０Ｖ）以上であるか否かを比較して判定し判定情報を充放電制御部１１Ａに出力する。第３に充放電制御部１１Ａが連続通紙時にキャパシタ１７を充電させる制御を行った後、蓄電エネルギーが充電終了用の閾値以上となったか否かを比較して判定し肯定する場合に充電完了の判定情報を充放電制御部１１Ａに出力する。
【００７５】
モード選択部１１ｄは、装置立上げ時及び通紙動作時のキャパシタ１７からヒータ９４への電力供給の許可・不許可、そのキャパシタ１７からのヒータ９４への電力供給許可・不許可に応じたＣＰＭ（１分間当りのコピー枚数）設定など複数のモードを持っている。
【００７６】
モード選択部１１ｄが有する複数のモードのうち、例えば、モード１は、コピー枚数が枚数閾値（例えば５０枚）以下にあり、キャパシタ電圧があらかじめ設定された放電開始閾値（例えば２５Ｖ）以上にある連続通紙時の場合、キャパシタ１７からヒータ９４への電力供給を許可し、ＣＰＭを通常条件に設定する。モード２は、コピー枚数が枚数閾値（例えば５０枚）以上にあることが予測された場合（キャパシタ電圧があらかじめ設定された放電開始閾値（例えば２５Ｖ）以上にあるか否かの判断は任意である）、連続通紙開始前にキャパシタ１７に充電終了用の閾値（３０Ｖ）に達するまで充電を行った後、商用電源１６からヒータ９３への電力供給を許可し、かつリロード温度に達成した段階でキャパシタ１７からヒータ９４への電力供給を許可し、通常条件に設定する。
【００７７】
尚、本実施の形態の場合もＣＰＭ設定には、例えば７５ＣＰＭもしくは４０ＣＰＭを設定する場合があり、この範囲内を例示するものであるが、これに限定されるものでなく、さらに多くのＣＰＭを設定可能としても良いことは勿論である。
【００７８】
本実施の形態の定着装置システムのモード２の動作例を図８に示す。尚、モード１の動作については第１の実施の形態で説明したモード１の場合と基本的に同様であり詳しい説明は省略する。一方、本動作例の場合、前提条件は次の通りとする。
・充電終了用の閾値（放電開始閾値）：３０Ｖ
・通紙枚数検出の閾値：５０枚
・ＣＰＭ通常条件：７５ＣＰＭ
・ＣＰＭダウン条件：４０ＣＰＭ
・コピー指令時のキャパシタ電圧：２７Ｖ
【００７９】
（ｓ４１）例えばテンキーＴｋｅの操作による連続通紙のコピー枚数情報の指定を検出するとともに、通紙予測部１１Ｂにおいて、画像読み取り部１ａから取り込まれる原稿枚数情報と、コピー枚数情報から連続通紙を予測し、かつＣＰＵ１１の情報解析部でコピースタートボタンＣｓｗのＯＮ操作による連続コピー命令を検出する。
（ｓ４３）画像形成装置の連続コピー動作に係る各主要部（定着装置システム１０Ｂを含む）を待機状態にする。
（ｓ４２）閾値設定部１１ｂにおいて、連続通紙であるため、充電終了用の閾値（３０Ｖ）の設定を行って、充電終了用の閾値（３０Ｖ）の情報を判定部１１ｃに送り、かつＣＰＭを通常のＣＰＭ、即ち７５ＣＰＭに設定する。
（ｓ４４）充放電制御部１１Ａがスイッチ１９を充電側に制御して、商用電源１６からキャパシタ１７への電力供給を行って充電を開始するとともに、各原稿の読み取り処理を開始して各原稿の読み取り情報を所定のメモリに記憶してゆく。
（ｓ４５）判定部１１ｃにおいて、蓄電検知部１８を通してキャパシタ１７の現在の蓄電エネルギーを検出するとともに充電終了用の閾値（３０Ｖ）と比較して、現在の蓄電エネルギーが充電終了用の閾値（３０Ｖ）に達したか否かを判定する。例えば１Ｖ充電するのに５ｓの時間を要する場合、コピー指定時のキャパシタ電圧は２７Ｖであったから、その差３Ｖであり乗算すると、キャパシタ１７の蓄電エネルギーが３０Ｖに達するには１５ｓの時間を要することになる。
（ｓ４６）判定部１１ｃにおいて、キャパシタ１７の蓄電エネルギーが３０Ｖに達したことが判定された場合、充放電制御部１１Ａがスイッチ１９を中立側に制御する一方で、ＣＰＵ１１の制御により商用電源１６からヒータ９３に電力供給を行って立ち上げ動作に入る。立ち上げ動作後は、判定部１１ｃが温度センサ９５からの定着ローラ９１の温度計測に基づく温度情報を検出するとともに、定着ローラ９１がリロード温度に達したか否かを判定する。定着ローラ９１の立ち上げ動作には３０ｓの時間を要する。
（ｓ４７）定着ローラ９１の温度がリロード温度に達した場合、画像形成装置の連続コピー動作に係る各主要部（定着装置システムを含む）の待機状態を解除するとともに、コピースタートスイッチＣｓｗのＯＮ操作を有効にし、ヒータ９３の発熱を継続するとともに、キャパシタ１７の放電電力（３０Ｖ）でヒータ９４をも発熱させ、これらの各発熱で効率良く定着ローラ９１を加熱する。
（ｓ４８）連続コピー動作に伴い定着ローラ９１の加熱と加圧ローラ９２のニップ圧とをもって７５ＣＰＭの連続通紙に際し順次各シートＰ上の未転写画像を定着する。
（ｓ４９）全てのコピー動作が終了すると、次回のコピー動作に備えて商用電源１６からキャパシタ１７への充電を行う。充電後の蓄電エネルギーは例えば２５Ｖとする。
【００８０】
本実施の形態の場合、全コピー処理に要する時間は、１５ｓ＋３０ｓ＋８０ｓであり、従来（図６参照）と比べた場合、５５ｓ短縮することが可能となった。
【００８１】
本実施の形態においても、連続通紙開始前に充電終了用の閾値を設定するとともにキャパシタ１７を充電終了用の閾値まで充電した後、コピー開始とともにキャパシタ１７からの放電電圧でヒータ９４をも発熱させるように構成したため、キャパシタ１７の放電を決定する閾値を最悪通紙条件でなく、平均的な使用により想定される通紙条件に耐え得る閾値（特段に設定される充電終了用の閾値）に等しくし、これによりキャパシタ１７を有効活用することが可能となり、かつあらかじめの閾値では定着不良が起こり得る通紙条件の際には、高く設定した閾値（充電終了用の閾値）までキャパシタを充電し、以って定着ローラ９１の能力、即ち高い非温度低下性を維持して定着不良を確実に防止する定着装置システムを提供することができる。一方、キャパシタ１７への充電開始とともに各原稿の読み取り処理をも開始するため充電中の待機時間を有効に利用することが可能で、この観点からも総複写時間を短縮することが可能となる。
【００８２】
次に、本実施の形態の定着装置システム１０Ｂを画像形成装置に組み込んだ構成例を同じく図５に示す。図５に示す画像形成装置１００において、主電源が入れられると画像形成装置１００の各部が起動可能となるとともに、定着装置システム１０Ｂも立上げ動作に入り、判定部１１ｃがキャパシタ１７の蓄電エネルギーを検出する一方、定着装置１０を含む所要の各部が待機状態に入る。連続通紙が予測された場合、充放電制御部１１Ａが商用電源１６からキャパシタ１７への電力供給を高く設定した充電終了用の閾値まで充電するとともに、各原稿の読み取り処理を開始した後、ＣＰＵ１１が定着装置１０のヒータ９３を発熱させ立ち上げ動作を終了（リロード温度到達）させ、しかる時に待機状態を解消して充放電制御部１１Ａがキャパシタ１７からの放電を行わせヒータ９４を発熱させ、これらの発熱で定着ローラ９１を高効率で加熱する。かくてコピースタートボタンＣｓｗのＯＮ操作が有効になり連続コピー動作を行うことが可能となる。この場合も定着ローラ９１の高い非温度低下性が維持される。一方、充電開始とともに各原稿の読み取り処理をも開始するため充電中の待機時間を有効に利用することが可能で、この観点からも総複写時間を短縮することが可能となる。
【００８３】
この場合もキャパシタ１７の放電を決定する閾値を最悪通紙条件でなく、平均的な使用により想定される通紙条件に耐え得る閾値（特段に設定される充電終了用の閾値）に等しくしてキャパシタ１７を有効活用する他、あらかじめの閾値では定着不良が起こり得る通紙条件の際には、高く設定した閾値（充電終了用の閾値）までキャパシタ１７を充電し、これにより定着ローラ９１の能力、即ち高い非温度低下性を維持して定着不良を確実に防止する画像形成装置を提供することができる。
【図面の簡単な説明】
【００８４】
【図１】本発明の第１の実施の形態に係る定着装置システムの回路図である。
【図２】第１の実施の形態に係る定着装置システムの主要部の機能構成を示すブロック図である。
【図３】第１の実施の形態に係る定着装置システムのモード１の動作例を示すタイムチャートである。
【図４】第１の実施の形態に係る定着装置システムのモード２の動作例を示すタイムチャートである。
【図５】第１の実施の形態に係る画像形成装置の構成を説明する断面図である。
【図６】本発明の前提となる技術の動作例を示すタイムチャートである。
【図７】本発明の第２の実施の形態に係る定着装置システムの主要部の機能構成を示すブロック図である。
【図８】第２の実施の形態に係る定着装置システムのモード２の動作例を示すタイムチャートである。
【図９】本発明の第１，第２の実施の形態で採用する定着装置の構成を説明する説明図である。
【図１０】従来の定着装置システムの回路図である。
【図１１】従来の定着装置システムの主要部の機能構成を示すブロック図である。
【図１２】従来の定着装置システムンの動作を説明するタイムチャートである。
【符号の説明】
【００８５】
１０，９０    定着装置システム
１１    ＣＰＵ
１１Ａ    充放電制御部
１１Ｂ    通紙予測部
１１ａ    枚数予測部
１１ｂ    閾値設定部
１１ｃ，８１ａ    判定部
１１ｄ，８１ｂ    モード選択部
１２，１４，８２，８４    コントローラ
１３，８３    トライアック
１５，８５    ＦＥＴ
１６，８６    商用電源
１７，８７    キャパシタ
１８，８８    蓄電検知器
１９，８９    スイッチ
１ａ，８ａ    充電装置
１ｂ    画像読み取り部
１ｃ    外部入力部
９１    定着ローラ
９２    加圧ローラ
９３，９４    ヒータ
９５    温度センサ
Ｃｓｗ    コピースタートスイッチ
Ｃａ    制御実行部
Ｄｄ    情報解析部
１００    画像形成装置
１０１    感光体
１０２    帯電手段
１０３    クリーニング手段
１０５    現像スリーブ
１０６    転写手段
１０７    現像部
１１０    給紙カセット
１１１    中板
１１２    アーム
１１３    給紙ローラ
１１４    分離パッド
１１５    レジストローラ対
１２０    排紙ローラ対
１２１    排紙口
１２２    排紙トレイ
１２５    排紙補助トレイ
１３０    操作パネル
１３１    外装部
１３２    給紙トレイ
１３３    ピン
１３４    ケース
１３５    電源回路
１３６    プリント板
１３７    コントローラボード
１４０    レーザ光学系
Ｐ    シート
Ｔ    トナー
【図１】
2005221697.tif 000003
【図２】
2005221697.tif 000004
【図３】
2005221697.tif 000005
【図４】
2005221697.tif 000006
【図５】
2005221697.tif 000007
【図６】
2005221697.tif 000008
【図７】
2005221697.tif 000009
【図８】
2005221697.tif 000010
【図９】
2005221697.tif 000011
【図１０】
2005221697.tif 000012
【図１１】
2005221697.tif 000013
【図１２】
2005221697.tif 000014